(57)【要約】      （修正有）【課題】股下で吸収体が幅方向に狭められても、折れやしわをできにくくして、装着感を高め、中央部吸収体の吸収量を増す吸収性物品を提供する。【解決手段】液透過性の表面シート１と、裏面シート２と、表面シート１と裏面シート２との間に配された吸収体３とを有した吸収性物品であって、吸収体３は第１層３１と第２層３２の少なくとも２層を有してなり、第１層３１は、長手方向に延びていて幅方向に離間された一対の貫通孔４ａ、４ｂと、一対の貫通孔４ａ、４ｂに挟まれた中央部吸収体３ｃと、一対の貫通孔４ａ、４ｂより幅方向外側に位置した一対の側部吸収体３ａ、３ｂとを有してなり、第２層３２は、少なくとも中央部吸収体３ｃの長手方向中央領域において第１層３１に積層されており、側部吸収体３ａ、３ｂの厚み方向における裏面シート２側に、長手方向に延びる弾性体が配されて吸収体ギャザー６３が構成されている。【選択図】図１
0003201606.tif 000002
【実用新案登録請求の範囲】
【請求項１】
長手方向と、前記長手方向に直交する幅方向と、前記長手方向と前記幅方向の両方に直交する厚み方向とを有していて、液透過性の表面シートと、裏面シートと、前記表面シートと前記裏面シートとの間に配された吸収体とを有した吸収性物品であって、
前記吸収体は第１層と第２層の少なくとも２層を有してなり、
前記第１層は、前記長手方向に延びていて前記幅方向に離間された一対の貫通孔と、前記一対の貫通孔に挟まれた中央部吸収体と、前記一対の貫通孔より幅方向外側に位置した一対の側部吸収体とを有してなり、
前記第２層は、少なくとも前記中央部吸収体の長手方向中央領域において前記第１層に積層されており、
前記側部吸収体の前記厚み方向における前記裏面シート側に、長手方向に延びる弾性体が配されて吸収体ギャザーが構成されている吸収性物品。
【請求項２】
前記第１層が前記表面シート側に配されていて、前記第２層が前記裏面シート側に配された請求項１に記載の吸収性物品。
【請求項３】
前記一対の貫通孔は、各貫通孔の幅方向の前記側部吸収体側に配した外方縁と、幅方向の前記中央部吸収体側に配した内方縁を有してなり、
前記第２層は、一方の前記外方縁から他方の前記外方縁の間の幅方向範囲に配された請求項１又は２に記載の吸収性物品。
【請求項４】
前記第１層は、前記貫通孔の長手方向の延長線上に内折り部を有してなる請求項１〜３のいずれか１項に記載の吸収性物品。
【請求項５】
前記中央部吸収体と前記側部吸収体とは、前記貫通孔の長手方向外方において連結されている請求項１〜４のいずれか１項に記載の吸収性物品。
【請求項６】
前記第１層は前記貫通孔の長手方向の延長線上にエンボス部が配された請求項５に記載の吸収性物品。
【請求項７】
前記第１層は平面視において、前記貫通孔の前記中央部吸収体側の内方縁が前記中央部吸収体の幅方向中央に向かって膨らんでなり、
前記貫通孔の幅は、長手方向における該貫通孔の中央に向かうにつれて幅が広がっている請求項１〜６のいずれか１項に記載の吸収性物品。
【請求項８】
前記吸収体の外形は平面視長方形である請求項１〜７のいずれか１項に記載の吸収性物品。
【請求項９】
前記吸収性物品は、前記吸収体より幅方向外側に、前記表面シートと前記裏面シートとが接合されたフラップ部を有してなり、
前記フラップ部に弾性体が配されてレッグギャザーが構成されていて、
前記吸収体ギャザーにおける弾性体の収縮力より、前記レッグギャザーにおける弾性体の収縮力の方が大きい請求項１〜８のいずれか１項に記載の吸収性物品。
【請求項１０】
前記吸収体は高吸収性ポリマーを含んでなり、
前記側部吸収体に含まれた高吸収性ポリマーの坪量が、前記中央部吸収体に含まれた高吸収性ポリマーの坪量よりも大きい請求項１〜９のいずれか１項に記載の吸収性物品。
【請求項１１】
前記吸収性物品が、成人用吸収性物品である請求項１〜１０のいずれか１項に記載の吸収性物品。
【考案の詳細な説明】
【技術分野】
【０００１】
本考案はおむつ等の吸収性物品に関する。
【背景技術】
【０００２】
成人用吸収性物品、特に展開型おむつでは、装着時にテープ止めをする際に、股下部の幅を狭めながら装着を行なう。
例えば、特許文献１には使い捨ておむつが記載されている。このおむつの吸収性コアは、中央吸収体と、中央吸収体の下部吸収体両側に切離部（穴、スリット）を介して配したサイド吸収体とを具備している。また中央吸収体は、下部吸収体の肌面側に上部吸収体を有する２層構造となっている。上部吸収体は切離部と切離部の中間に位置して、股下のフィット性を良くしている。
【０００３】
特許文献２には別の使い捨ておむつが記載されている。このおむつは、吸収体が内方向に凸に屈曲できるように、長さ方向に沿って吸収体に中央スリットを備えている。さらに、吸収体が外方向に凸に屈曲できるように、長さ方向に沿って吸収体にサイドスリットを備えている。
【０００４】
外側のアウターとして使用されるおむつに内部の吸収性パッドを固定する従来の技術としては、特許文献３から４に記載の技術が知られている。
特許文献３に記載された使い捨ておむつは、股下領域にて、中央吸収体と、その両側縁の外方にそれぞれ中間領域を介したレッグ吸収体とが、長手方向に沿って配されている。中間領域は可撓軸となり、その可撓軸はそれぞれ長手方向にそって形成されているため、吸収体は中央吸収体とレッグ吸収体とに実質的に分離されている。
【０００５】
特許文献４に記載された使い捨ておむつは、股下領域における中央吸収体の両側縁の外方に、それぞれレッグ吸収体がおむつ長手方向に沿って配されている。また中央吸収体の両側部に、一対の可撓軸が、それぞれ長手方向に沿って存在している。
【先行技術文献】
【特許文献】
【０００６】
【特許文献１】特開２００６−３４１０６１号公報
【特許文献２】特開２０１４−０１４７２６号公報
【特許文献３】特開２００２−２６３１３５号公報
【特許文献４】特開２０１５−０６６３０８号公報
【考案の概要】
【考案が解決しようとする課題】
【０００７】
成人用の吸収性物品では、展開型おむつやパンツ型おむつ等をアウターとして使用し、その内側に吸収性パッドを入れて併用される。このようにして、装着者の排泄を吸収性パッドに受け、吸収性パッドのみの交換で済むようにしている。このためには、吸収性パッドが適切な位置で装着者の股下部に接するように配して装着する必要がある。しかし、おむつは股下部の幅を狭めながら着用者に装着するため、吸収体の幅が広いと股下で折れ曲がることによりしわになって装着される。また、尿取りパッドを重ねて使う場合には、さらに股下で折れ曲がることによりしわが生じてしまう。このような折れ曲がりでしわになって、股下の剛性が高められごわつく感じとなり不快感に結びつく場合があった。
【０００８】
例えば、特許文献１に記載された使い捨ておむつでは、おむつ装着時に、股下領域において、下部吸収体上に配されて肌面側となる上部吸収体がしわになることがあり、改善の余地があった。
特許文献２に記載された使い捨ておむつでは、物品装着時に、中央スリットと二つのサイドスリットによって、股下部の吸収体が幅方向にＷ字形状に変形しやすくなる。このため、その変形によってごわつき感が一層増し、不快感に結びついていた。
特許文献３に記載された吸収性物品では、股下領域において、中央吸収体と、その両側縁にそれぞれ中間領域を介したレッグ吸収体とが一体になっている。そのため、中間領域が可撓軸になるとしても、おむつ装着時には股下領域において、しわが生じることがあり、そのしわを低減するように改善する余地があった。
特許文献４に記載された吸収性物品では、股下で中央部吸収体が折れ曲がってしわになることから生じるゴワツキ感を改善する余地があった。また尿取りパッドを併用する場合、側部吸収体間に配される開口部より中央部吸収体によって、尿取りパッドをさらに肌面側に押上げるようにする点で改善の余地があった。
【０００９】
本考案の課題は、股下で吸収体が幅方向に狭められても、折れやしわをできにくくして、装着感を高める。また、側部吸収体を肌側に押上げる強さを持たせることに関する。
【課題を解決するための手段】
【００１０】
本考案は、長手方向と、前記長手方向に直交する幅方向と、前記長手方向と前記幅方向の両方に直交する厚み方向とを有していて、液透過性の表面シートと、裏面シートと、前記表面シートと前記裏面シートとの間に配された吸収体とを有した吸収性物品であって、
前記吸収体は第１層と第２層の少なくとも２層を有してなり、
前記第１層は、前記長手方向に延びていて前記幅方向に離間された一対の貫通孔と、前記一対の貫通孔に挟まれた中央部吸収体と、前記一対の貫通孔より幅方向外側に位置した一対の側部吸収体とを有してなり、
前記第２層は、少なくとも前記中央部吸収体の長手方向中央領域において前記第１層に積層されており、
前記側部吸収体の前記厚み方向における前記裏面シート側に、長手方向に延びる弾性体が配されて吸収体ギャザーが構成されている吸収性物品を提供するものである。
【考案の効果】
【００１１】
本考案の吸収性物品は、吸収体が股下で狭められても中央部吸収体の折れ、しわができにくくなる。また、側部吸収体の裏面シート側に配された弾性体で、側部吸収体を肌側に押上げる強さを持たせることができる。
【図面の簡単な説明】
【００１２】
【図１】本考案の吸収性物品における好ましい一実施形態としてのおむつを示した図面である。（ａ）はおむつを展開した状態の肌当接面側（表面シート側）から見た部分切り欠き展開平面図であり、（ｂ）は股下部のＸ方向のＡ−Ａ線断面図である。なお、（ａ）図では、表面シート１、立体ギャザー６１、被覆シート５等の記載を省略し、吸収体３の配置をわかりやすくした。また（ｂ）図では厚み方向を誇張して示した。
【図２】平面視した貫通孔の種々の形状を示した平面図である。
【図３】おむつの内部に吸収性パッドの一例としての尿取りパッドを内装した状態の、股下部のＸ方向の断面図である。このおむつの断面図は、図１（ａ）のＡ−Ａ線断面に相当する図面である。
【図４】本考案の吸収性物品と併用する吸収性パッドの一例としての尿取りパッドを示した平面図である。
【図５】おむつの内部に吸収性パッドの一例としての尿取りパッドを内部に装着する様子を示した斜視図である。
【図６】仰臥位の装着者の臀部下に差し込んだおむつと尿取りパッドの両方を同時に手で把持して引き上げて装着者に装着させようとする状態を示した斜視図である。
【図７】おむつ装着時の吸収体の変形状態を、幅方向の断面を含む斜視図で示した図面であり、断面位置は図１のＡ−Ａ線断面に相当する図面である。
【考案を実施するための形態】
【００１３】
本考案に係る吸収性物品の好ましい実施形態について、図面を参照して説明する。まず、図１を参照して本実施形態の展開型おむつ１０を説明する。
【００１４】
本明細書では、特に断らない限り、人体に接触する側を肌当接面側又は肌面側といい、これと反対側を非肌当接面側又は非肌面側という。装着時に装着者の腹側部から排泄部対応領域を介して背側部に亘る方向を、吸収性物品の長手方向（Ｙ方向）という。この長手方向と直交する方向を幅方向（Ｘ方向）という。また、吸収性物品の長手方向及び幅方向に垂直な方向を厚み方向（Ｚ方向）といい、Ｚ方向における長さを厚みという。
【００１５】
図１は、本実施形態のおむつ１０の、展開状態を示している。ここで、展開状態とは、各部を伸長させて吸収性物品を平面状に拡げた状態をいう。また、（ｂ）図の断面図では厚み方向を誇張して示した。実際には厚み方向に隣接する構成部品は接触している。なお、本明細書において、特段の記載が無い場合、寸法は成人用おむつの展開状態における数値を示している。一方、自然状態とは、弾性体がその収縮力を発揮し、拡げられた吸収性物品の各部が収縮した状態をいう。
【００１６】
図１に示すように、吸収性物品としてのおむつ１０は、実質的に縦長になされている、いわゆる展開型のおむつである。具体的には、肌当接面側に配された液透過性の表面シート１、非肌当接面側に配された裏面シート２、及び両シートの間に介在配置された液保持性の吸収体３を備えている。
吸収体３は、その長手方向を表面シート１及び裏面シート２の長手方向に一致させ略中央に配されている。その形状は、平面視で、例えば長方形である。さらに表面シート１及び裏面シート２よりも長手方向（Ｙ方向）及び幅方向（Ｘ方向）の長さが短く配されている。そして表面シート１、裏面シート２及び吸収体３は、例えばホットメルト接着剤等によって接合されている。
【００１７】
おむつ１０は、装着時において装着者の腹部領域に当接する前方部Ｆ、装着者の股下部領域に位置する中間部Ｃ、装着者の臀部に当接する後方部Ｒに区分される。おむつ１０の形状から明確に各部位が区分できないときは、おむつ１０を長手方向に３等分し、装着者の腹側寄りに配される領域から順に、前方部Ｆ、中間部Ｃ、後方部Ｒと区分する。この区分において、おむつ１０の肌当接面側で尿取りパッド等の吸収性パッドが配される領域は、主に中間部Ｃである。
【００１８】
吸収体３は、第１層３１と第２層３２の少なくとも２層を有している。図面に示した吸収体３は、第１層３１と第２層３２の２層を有するものである。第１層３１は、第２層３２が配された位置では表面シート１側に位置し、第２層３２は裏面シート２側に位置する。
【００１９】
吸収体３は、中間部Ｃにおいて、第１層３１に、長手方向に延びていて幅方向に離間した第１層３１を貫通する一対の貫通孔４（４ａ）、４（４ｂ）が配されている。ただし１対の貫通孔４ａ、４ｂの物品長手方向両端部に吸収体３の一部が存在している。したがって、貫通孔４は長手方向両端部に到達していない。
この一対の貫通孔４ａ、４ｂに挟まれた第１層３１が中央部吸収体３ｃとなる。また、一対の貫通孔４ａ、４ｂより幅方向外側の第１層３１が一対の側部吸収体３ａ、３ｂとなる。第２層３２は、少なくとも中央部吸収体３ｃの長手方向中央領域において第１層３１に積層されている。実際には、貫通孔４は中間部Ｃから前方部Ｆにかけて、及び後方部Ｒにかけて配されていることが好ましい。第２層３２と貫通孔４との位置関係については、貫通孔４について詳述した後に述べる。
【００２０】
また、側部吸収体３ａ、３ｂの厚み方向における裏面シート２側に、長手方向に延びる吸収体ギャザー弾性体７３が配されて吸収体ギャザー６３が構成されている（図１（ａ）には図示されていない。）。
【００２１】
上記おむつ１０によれば、股下領域の吸収体３は、貫通孔４により中央部吸収体３ｃの幅方向の幅が狭くなる。このため、おむつ装着時では、中央部吸収体３ｃの折れ、しわができにくくなる。したがって、しわによるごわつき感が生じなくなり、装着時に不快感が軽減され、装着感に優れたものとなる。また装着時に、股下領域の吸収体３の幅が狭められても、貫通孔４ａ、４ｂを潰すように両側の側部吸収体３ａ、３ｂが中央部吸収体３ｃに近づく。しかも、中央部吸収体３ｃの非肌面側（裏面シート２側）には第２層の下層中央部吸収体３２が積層されて配されている。そのため、貫通孔４ａ、４ｂを配したことにより中央部吸収体３ｃの幅が狭くなっていても、股下領域における吸収体３全体の液吸収量は十分に確保される。これによって、液漏れが防止される。
さらに吸収体３の股下領域は、貫通孔４により、側部吸収体３ａ、３ｂが立ち上がり易くなっている。
また、側部吸収体３ａ、３ｂの下の吸収体ギャザー弾性体７３で、側部吸収体３ａ、３ｂを肌側に押上げる強さを持たせることができる。このため、側部吸収体３ａ、３ｂの肌面へのフィット性が向上する。さらに、貫通孔４ａ、４ｂの外側に吸収体ギャザー弾性体７３が配されることから、吸収体ギャザー弾性体７３が収縮しやすくなる。これによって、おむつ１０を自然状態において、側部吸収体３ａ、３ｂが立ち上がりやすくなる。
【００２２】
上記おむつ１０では、第１層３１が表面シート１側に配置され、第２層３２が裏面シート２側に配置されることが好ましい。これによって、両側の側部吸収体３ａ、３ｂと中央部吸収体３ｃの厚みの差による隙間ができにくくなる。また第２層３２が第１層３１よりも裏面シート２側に配されているため、第１層３１に配された貫通孔４ａ、４ｂを通過した液を第２層３２で吸収することができる。この点については後に詳述する。
【００２３】
次に貫通孔４ａ、４ｂについて詳細に説明する。
貫通孔４ａ、４ｂは、それぞれ、側部吸収体３ａ、３ｂ側に配された外方縁４１ａ、４１ｂと、中央部吸収体３ｃ側に配された内方縁４２ａ、４２ｂを有している。内方縁４２ａ、４２ｂは、平面視して、中央部吸収体３ｃの幅方向中央に向かって膨らんでいる。それによって貫通孔４（４ａ、４ｂ）は凸形状になっている。すなわち、幅方向における貫通孔幅Ｗ（単に幅Ｗともいう）は、長手方向における該貫通孔４の中央に向かうにつれて幅Ｗが広がっている。
【００２４】
貫通孔４（４ａ、４ｂ）の平面視した場合の形状は、具体的には、一例として、図２（ａ）に示した変形六角形の貫通孔４（４ａ、４ｂ）が挙げられる。この変形六角形は、台形の両脚を１度屈折させた折れ線とした形状である。台形を等脚台形とし、左右対称としてもよい。
図２（ｂ）に示した貫通孔４（４ａ、４ｂ）の形状は、弦と曲線の弧、例えば円弧または楕円弧からなる閉曲線となっている。
図２（ｃ）に示した貫通孔４（４ａ、４ｂ）の形状は三日月形である。
この他に、貫通孔４（４ａ、４ｂ）の形状は、階段状や図２（ｄ）に示した階段状の形状に丸みを持たせた形状にすることもできる。
上記のように、少なくとも、各形状の中央部吸収体３ｃ側の辺はそれに対向する辺より短くなっているものである。
【００２５】
貫通孔４は、おむつ１０を装着した際に、股下領域の吸収体３にしわが入らないようにするため、長手方向の長さＬは、１００ｍｍ以上とする。好ましくは１３０ｍｍ以上、さらに好ましくは１６０ｍｍ以上とする。そして４２０ｍｍ以下、好ましくは３９０ｍｍ以下、さらに好ましくは３６０ｍｍ以下とする。一例としては、長さＬは２６０ｍｍに設定される。上記長さＬが長すぎると、貫通孔４の幅が２０ｍｍ以上と広いため、吸収体３の液吸収量が少なくなる。長さＬが短すぎると、吸収体３にしわが発生しやすくなる。幅方向の貫通孔４の幅Ｗは、２０ｍｍ以上、好ましくは２５ｍｍ以上、さらに好ましくは３０ｍｍ以上とする。そして６０ｍｍ以下、好ましくは５５ｍｍ以下、さらに好ましくは５０ｍｍ以下とする。一例としては、幅Ｗは４０ｍｍに設定される。幅Ｗが短すぎると、貫通孔４を配した効果がなく、しわが発生しやすくなる。一方、幅Ｗが長すぎると、中央部吸収体３ｃの幅が狭くなりすぎて、液吸収量が十分に得られなくなる。
【００２６】
貫通孔４は、上記のような中央部吸収体３ｃ側に膨らんだ形状を有することから、中央部吸収体３ｃにしわがよりやすい部分で貫通孔４の幅Ｗが最も広くなっている。言い換えれば、貫通孔４の幅を広くとることで中央部吸収体３ｃの幅Ｗを狭くして、中央部吸収体３ｃにしわがより難くしている。また、貫通孔４のよって、側部吸収体３ａ、３ｂを幅Ｗ分だけ中央部吸収体３ｃ側に寄せることができるので、しわになりにくい。かつ吸収体３が内方に折れ曲がったときに、貫通孔４で折れ曲がるため、吸収体の折り目が分厚くならない。したがって、吸収体３を着用者の肌にフィットさせせた状態が保てる。
また、貫通孔４の幅広な大きな形状により中央部吸収体３ｃが股下部でくびれる。このくびれと、吸収体ギャザー弾性体７３の弾性力との相互作用により、側部吸収体３ａ、３ｂが立ちやすくなる。
【００２７】
次に股下領域の幅方向における貫通孔４と第２層３２の位置関係について説明する。
中央部吸収体３ｃの下層に配された第２層３２は、平面視、幅方向において、一方の外方縁４１ａから他方の外方縁４１ｂの間に配されていることが好ましい。以下、第２層３２を下層中央部吸収体３２とも称す。また、一方の内方縁４２ａから他方の内方縁４２ｂの間を覆うように配していることが好ましい。したがって、おむつ１０の装着時に吸収体３が股下の形状に沿って曲げられた際に、側部吸収体３ａ、３ｂは貫通孔４を潰すように中央部吸収体３ｃに近づく。そして下層中央部吸収体３２が上記範囲に配されていることから、貫通孔４ａ、４ｂ間を下面側（裏面シート側）から覆うようになる。そのため、中央部吸収体３ｃと下層中央部吸収体３２との間における液の受け渡しがスムースになる。特に後述する尿取りパッドを用いた場合、パッドから液が外側に漏れたときに有効である。また貫通孔４ａ、４ｂから漏れた液を下層中央部吸収体３２によって吸収することができ、液漏れを防止することができる。なお、吸収体３の折り易さの観点から、下層中央部吸収体３２は、一方の内方縁４２ａから他方の内方縁４２ｂの間に配されていても良い。この場合、おむつ装着時に吸収体３が肌当接面側に凸状に変形されるので、下層中央部吸収体３２によって貫通孔４ａ、４ｂを下側から覆うことができる。
【００２８】
上記第１層３１は、各貫通孔４の長手方向の延長線上を折り目４３とする。この折り目４３を可撓軸として、内折り部３ｄ、３ｅを有することが好ましい。具体的には、第１層３１において、貫通孔４の外側の外方縁４１ａ、４１ｂの長手方向の延長線を折り目４３とする。この折り目４３より外側の第１層３１が、折り目４３及び貫通孔４を可撓軸として内側に向かって折られるようになり、内折り部３ｄ、３ｅになる。したがって、内折り部３ｄ、３ｅは、側部吸収体３ａ、３ｂを長手方向に延長した第１層３１部分であり、側部吸収体３ａ、３ｂと連続している。このように、内折り部３ｄ、３ｅが内側に折られるように立ち上がることで、吸収体３が肌面に対して、特に鼠蹊部の肌面に対してフィットできるようになる。
【００２９】
上記の折り目４３は、例えばエンボスで構成され、圧密化されていることが好ましい。エンボスは、連続的に配されたものであっても、間欠的に配されたものであってもよい。特に好ましくは、連続的に線状に配されたものである。
このように折り目４３にエンボスが配されることで、折り目４３を可撓軸にして内折り部３ｄ、３ｅが内側に曲がりやすくなって、肌面によりフィットしやすくなる。また、吸収体３がしわになりにくくなる。
また折り目４３は、吸収体３を構成する材料が他の部分よりも少なくされて構成されていてもよい。すなわち、折り目４３は、該箇所を境にして内折り部３ｄ、３ｅが内側に曲がりやすくなる構成であればよい。
【００３０】
中央部吸収体３ｃと側部吸収体３ａ。３ｂとは、貫通孔４の長手方向外方において連結している。上記の「連結している」とは、中央部吸収体３ｃと側部吸収体３ａ、３ｂとが接合もしくは接着して一体となったものを含む。また、初めから中央部吸収体３ｃと側部吸収体３ａ、３ｂとが一体に成形されたもの等も含む。吸収体３の長手方向の長さは、着用者のサイズにもよるが、例えば、４３０ｍｍ以上、より好ましくは４７５ｍｍ以上、さらに好ましくは５２５ｍｍ以上とする。そして８２０ｍｍ以下、好ましくは７２０ｍｍ以下、さらに好ましくは６７０ｍｍ以下とする。一例としては、吸収体３の長さは６２５ｍｍに設定される。吸収体３の長さが短すぎると、長手方向に液漏れする場合がある。一方、長すぎると長手方向に液が広がる前に液漏れすることや吸収体が長いことで使われない部分が多くなることがある。
【００３１】
上記表面シート１の肌当接面側には、その長手方向方向（Ｙ方向）両側部から幅方向（Ｘ方向）外方に向けて一対のサイドシート７（７ａ、７ｂ）が配されている。
一方、上記裏面シート２の非肌当接面側には、その全面を覆うように不織布からなる外装シート（図示せず）８が配されていてもよい。この外装シート８によって、おむつ１０の外側は柔らかな肌触り及び風合いのあるものとなる。
【００３２】
サイドシート７及び外装シート８の長手方向（Ｙ方向）長さは、それぞれ表面シート１及び裏面シート２の長手方向（Ｙ方向）長さに略一致している。さらにサイドシート７及び外装シート８は、前方部Ｆ及び後方部Ｒの長手方向端にフラップ部を有している。このフラップ部は、表面シート１及び裏面シート２よりも幅方向（Ｘ方向）外方に延出している。
上記のごとく、おむつ１０の外形が形成されている。すなわち、おむつ１０は、展開状態の平面視における外形が、長手方向の中央部分が幅狭に括れた略砂時計の形状を有してなる。表面シート１及び裏面シート２は、それぞれ、おむつ１０の外形に等しい外形を有していてもよい。
【００３３】
おむつ１０の腹側部Ｆ及び背側部Ｒには、背側フラップ部１８Ｒ及び腹側フラップ部１８Ｆが配されている。背側フラップ部１８Ｒ及び腹側フラップ部１８Ｆは、サイドシート７と外装シート８とが積層されて幅方向外方に張り出してなる。ファスニングテープ１９は、フックテープが好ましく、粘着タイプでもよい。又はフック材と粘着テープを組み合わせた物であっても良い。このファスニングテープ１９が腹側フラップ部１８Ｆに配したテープ貼付部２０に貼付されている。これにより、おむつ１０を着用者に装着固定することができる。テープ貼付部２０は、ループテープが好ましく、例えば通気性のある不織布タイプがムレを防止しするために好ましい。又はフィルムタイプや織物とフィルムをラミネートしたものであってもよい。
上記ファスニングテープ１９及びテープ貼付部２０によっておむつ１０を装着固定するとき、おむつ長手方向中央を緩やかに内側に折り曲げる。そして、吸収体３が装着者の臀部から下腹部にわたって沿うように装着する。これにより排泄物が的確に吸収体３に吸収保持される。本実施形態のおむつ１０においては、さらに機能的な構造部材やシート部材等を配してもよい。
【００３４】
各サイドシート７の幅方向中央寄りの内方端部に立体ギャザー弾性体７１が配されている。表面シート１の肌当接面側にサイドシート７及び立体ギャザー弾性体７１によって、後に詳述する立体ギャザー６１が構成されている。なお、図１（ａ）では立体ギャザー６１の図示は省略し、図１（ｂ）に倒伏している状態で示した。
【００３５】
上記吸収体３は、おむつ１０の装着時において、側部吸収体３ａ、３ｂが貫通孔４を潰すように中央部吸収体３ｃ側に移動する。そして側部吸収体３ａ、３ｂは、貫通孔４を軸として内側に、例えば山折りに曲げられて、装着者の大腿部に当接する。この装着状態においては、後述の立体ギャザー６１と吸収体ギャザー６３との組み合わせが、おむつ１０の内部に入れた尿取りパッド（図示せず）をずれにくくする。これによって、装着者の股下部の動きに対する尿取りパッドの追従性が改善されてさらに向上する。
【００３６】
吸収体３の側部吸収体３ａ、３ｂのそれぞれと裏面シート２との間には、複数本の吸収体ギャザー弾性体７３が伸長状態で固定されている。その固定には例えば接着剤が用いられる。その接着剤には、通常のホットメルト接着剤が挙げられる。伸長状態で固定された吸収体ギャザー弾性体７３により、吸収体３に伸縮性が付与され、吸収体ギャザー６３が構成されている。
側部吸収体３ａ、３ｂが押し上げられやすくする観点から、吸収体ギャザー弾性体７３は側部吸収体３ａ、３ｂのうちの幅方向中央より外側に配されることが好ましい。
また、吸収体ギャザー６３は任意の長手方向（Ｙ方向）範囲に延在させることができる。そして後述の尿取りパッド１００を装着者の股下部に押し上げるようにするため、少なくとも中間部Ｃの全体に亘って連続して配されることが好ましい。同様の観点から、複数本の吸収体ギャザー弾性体７３は、上記側部吸収体３ａ、３ｂと裏面シート２との間に配されることが好ましい。また、吸収体ギャザー弾性体７３は、長手方向に収縮力を発揮できれば、必ずしも長手方向に平行に配設される必要はなく、蛇行していても良い。その長さは、例えば、２００ｍｍ以上、より好ましくは２５０ｍｍ以上、さらに好ましくは３００ｍｍ以上とする。そして６００ｍｍ以下、好ましくは５５０ｍｍ以下、さらに好ましくは５００ｍｍ以下とする。一例としては、吸収体ギャザー弾性体７３の長さは４００ｍｍに配される。吸収体ギャザー弾性体７３の長さが短すぎても長すぎても、側部吸収体３ａ、３ｂを十分に押し上げられなくなる。
【００３７】
おむつ１０を展開し、自然状態にしたとき、上記吸収体ギャザー弾性体７３が収縮して成す吸収体ギャザー６３によって側部吸収体３ａ、３ｂが立ち上がった形態になることが好ましい。この立ち上がった形態になる側部吸収体３ａ、３ｂがレッグ吸収体となる。
したがって、テープ止めを展開した状態で、側部吸収体３ａ、３ｂが収縮し、吸収体３の前部及び後部が立ち上がる。このため、尿取りパッドを装着した場合には、尿取りパッドの保持性が向上する。この点については、さらに詳細を後述する。
また上記吸収体ギャザー弾性体７３によって側部吸収体３ａ、３ｂが伸縮するため脚周り、特に大腿部付け根周りのフィット性が向上し、その部分の漏れを防止できる。
【００３８】
本実施形態のおむつ１０の長手方向の両側部には、立体ギャザー６１の一側縁が固定されて、立体ギャザー６１の起立端６１ｂを形成している。立体ギャザー６１は、おむつ１０の長手方向（Ｙ方向）に延びる帯状の形状を有している。立体ギャザー６１は、立体ギャザー弾性体７１の収縮力によって、幅方向の自由端６１ｆ側が、表面シート１等から離間して装着者の肌側に向かって立ち上がる。図１（ｂ）に示すように、自由端６１ｆは、サイドシート７を長手方向に沿って折り返されている。そして折り返し領域に複数本の立体ギャザー弾性体７１が伸長状態で固定されている。
【００３９】
一方、上記側部吸収体３ａ、３ｂの幅方向外側におけるサイドシート７と裏面シート２との間に位置するフラップ部１７には、レッグギャザー６５が配されている。レッグギャザー６５には、左右の大腿部付け根周りを伸縮可能にするレッグギャザー弾性体７５がそれぞれ伸長状態で接着又は固定されて配されている。このように各サイドシート７の幅方向外方にはそれぞれレッグギャザー弾性体７５が配されることでレッグギャザー６５が構成される。吸収体ギャザー弾性体７３の収縮力より、レッグギャザー弾性体７５の収縮力の方が大きい。またレッグギャザー弾性体７５は、上記吸収体ギャザー弾性体７３と同材質のものを用いることができる。またレッグギャザー弾性体７５は、吸収体ギャザー弾性体７３と同様な長さに配されることが好ましい。レッグギャザー弾性体７３の長さが短すぎると大腿部全体に回るように配されなくなり、長すぎると弾性体が余ってしまい大腿部へのフィット性が低下することになる。
【００４０】
吸収体ギャザー６３の収縮力によって側部吸収体３ａ、３ｂがおむつ１０の内側に曲げられるように変形することになる。そして、レッグギャザー６５の収縮力が吸収体ギャザー６３の収縮力より大きいことによって、上記側部吸収体３ａ、３ｂの変形よりもフラップ部１７の変形の方が大きくなる。これによって、レッグギャザーの大腿部へのフィット感が向上する。
【００４１】
おむつ１０は、立体ギャザー弾性体７１、吸収体ギャザー弾性体７３及びレッグギャザー弾性体７５の伸縮によって、装着者の動作による体形変化にもよく追従してフィットする。それによって、後述する尿漏れパッドの保持性が向上し、また液体等の横漏れを効果的に防止し得る。
【００４２】
上記吸収体３の第１層３１と第２層３２との間には、被覆シート５が介在されている。したがって、第１層３１の中央部吸収体３ｃと第２層３２の下層中央部吸収体３２とは被覆シート５によって分けられていることが好ましい。また、第１層３１の表面シート１側、第２層３２の裏面シート側にも被覆シート５が配されていることが好ましい。被覆シート５については後に詳述する。
【００４３】
次に、上記の各種構成部品の材質等について以下に説明する。
表面シート１は、肌触りが良く液透過性を有した部材からなる。例えば、親水性不織布が好ましい。このような不織布としては、特開２０１５−０６６３０８号公報、特開２０１５−１１３５４０号公報等に記載された各種不織布を用いることができる。また、表面シート１の股下部分には、表面シート１の非肌当接面側に親水性穴開きフィルムや親水性不織布が部分的に重ねられていてもよい。
【００４４】
裏面シート２は、親水性を有するものや防水性があり透湿性を有するものを特に限定せずに用いることができる。親水性を有する裏面シート２としては、表面シート１と同様のものを用いることができる。吸収体３の非肌当接面側で液漏れを防ぐ観点から、液難透過性の部材を用いることもできる。例えば、親水性の裏面シートとしては特開２０１５−０７３８４４号公報に記載されたものが挙げられる。また液不透過性の多孔性フィルムの裏面シートとしては、特開２０１５−０６６３０８号公報、特開２０１５−１１３５４０号公報等に記載されたものが挙げられる。また、蒸れ防止の観点から透湿性を有することが好ましい。
【００４５】
上記吸収体３は、液保持性を有するものであれば、通常吸収性物品に用いられるものを用いることができる。例えば、繊維集合体又はこれと吸水性ポリマーとを併用させたもの等が挙げられる。繊維集合体を構成する繊維としては、パルプ繊維等の親水性天然繊維や、合成繊維（好ましくは親水化処理を施したもの）等が挙げられる。上記繊維としては、特開２０１５−０６６３０８号公報、特開２０１５−１１３５４０号公報等に記載された各種繊維を用いることができる。吸水性ポリマーとしては、この種の物品に通常使用されている各種のポリマー材料を用いることができる。吸水性ポリマーは、自重の２０倍以上の水又は生理食塩水を吸収し保持し得る性能を有するような超吸収性高分子化合物であることが好ましい。
【００４６】
立体ギャザー６１を形成するサイドシート７としては、例えば、耐水性の高い撥水性の不織布を用いる。そのような不織布としては、ＳＭ、ＳＭＳ、ＳＭＭＳ、ＳＳＭＳ等の複合不織布が挙げられる。ＳＭはスパンボンド−メルトブローンの略称であり、ＳＭＳはスパンボンド−メルトブローン−スパンボンドの略称である。ＳＭＭＳはスパンボンド−メルトブローン−メルトブローン−スパンボンドの略称であり、ＳＳＭＳはスパンボンド−スパンボンド−メルトブローン−スパンボンドの略称である。または、スパンボンド不織布や、スパンボンド不織布等の不織布と透湿性又は非透湿性の樹脂フィルムとの積層体等を用いることができる。
【００４７】
各種弾性体７１、７３及び７５としては、糸状（糸ゴム等）、若しくは紐状（平ゴム等）のもの、又はマルチフィラメントタイプの糸状のもの等を好ましく用いることができる。この弾性体の断面としては、円形、楕円形、正方形、矩形又は多角形状等が挙げられる。弾性体の形成素材としては、例えば、合成ゴム、天然ゴム等のゴムを挙げることができる。または、エチレン酢酸ビニル（ＥＶＡ）、伸縮性ポリオレフィン、ポリウレタン等を挙げることができる。合成ゴムとしては、スチレン−ブタジエン、ブタジエン、イソプレン、ネオプレン等を挙げることができる。
【００４８】
糸状の弾性体を立体ギャザー弾性体７１及び吸収体ギャザー弾性体７３として用いる場合、その繊度は、伸縮性と伸張応力を保つ観点から規定される。例えば、３１０ｄｔｅｘ以上であることが好ましい。そして４７０ｄｔｅｘ以上であることがより好ましく、６２０ｄｔｅｘ以上であることが更に好ましい。上限に関しては、伸張応力が高くなり過ぎないで伸縮しやすく、肌に優しく、装着者に違和感を与えないという観点から規定される。例えば、１８８０ｄｔｅｘ以下であることが好ましい。そして１２４０ｄｔｅｘ以下であることがより好ましく、１１４５ｄｔｅｘ以下であることが更に好ましい。
吸収体ギャザー弾性部材７５の接着剤には、通常のホットメルト接着剤が挙げられる。そして、おむつを展開し、自然状態にしたとき、吸収体ギャザー弾性部材７５が収縮して成す吸収体ギャザーによってレッグ吸収体となる側部吸収体３ａ、３ｂが立ち上がることが好ましい。
【００４９】
上記吸収体３は高吸収性ポリマーが含まれていることが好ましい。そして側部吸収体３ａ、３ｂに含まれる高吸収性ポリマーの坪量が、中央部吸収体３ｃに含まれる高吸収性ポリマーの坪量よりも大きいことが好ましい。
これによって、おむつ１０の装着者が横向きになったときの側部吸収体３ａ、３ｂの液吸収量が高まるので、横漏れを防ぐことができる。
【００５０】
例えば、上記吸収体３は親水性繊維のパルプ３３と吸収性ポリマー３４からなることが好ましい。吸収性ポリマー３４は、いわゆる高吸収性ポリマー（ＳＡＰ）が好ましい。以下、吸収性ポリマーを高吸収性ポリマーともいう。高吸収性ポリマー３４とは、例えば、ポリマーの自重の少なくとも２０倍以上の水又は生理食塩水を吸収し保持し得る性能を有するポリマーをいう。
このような吸収体は、図示はしないが、例えば、各吸収体に対応する形状の凹部を周面に有する積繊ドラムを用いる。この積繊ドラムの凹部に、パルプシートを粉砕して形成した粉砕パルプ及び吸収性ポリマーの粒子を飛散状態で供給する。そして、粉砕パルプ及び吸水性ポリマーの粒子を該凹部に吸引して堆積させる。その後、該凹部から堆積体を離型し、必要に応じて加圧圧縮して、吸収体３を得る。
【００５１】
側部吸収体３ａ、３ｂのパルプ３３の坪量は、吸収体のよれ防止の観点から、１００ｇ／ｍ２以上、好ましくは１２０ｇ／ｍ２以上、さらに好ましくは１４０ｇ／ｍ２以上である。また大腿部付け根周りのフィット性を良くする観点から、４００ｇ／ｍ２以下、好ましくは３６０ｇ／ｍ２以下、さらに好ましくは３４０ｇ／ｍ２以下である。そして１００ｇ／ｍ２以上４００ｇ／ｍ２以下、好ましくは１２０ｇ／ｍ２以上３６０ｇ／ｍ２以下、さらに好ましくは１４０ｇ／ｍ２以上３４０ｇ／ｍ２以下である。パルプの坪量が少なすぎると吸収体の剛性が低くなりよれやすくなる。一方パルプの坪量が多すぎると吸収体の剛性が高くなり過ぎ、フィット性が低下することになる。また、中央部吸収体３ｃのパルプの坪量の範囲は上記側部吸収体３ａ、３ｂと同様である。なお、側部吸収体３ａ、３ｂと中央部吸収体３ｃとは、上記坪量の範囲において坪量が同じであっても異なっていても良い。
【００５２】
高吸収性ポリマー３４の坪量は、吸収量を維持し漏れを防止する観点から、１０ｇ／ｍ２以上、好ましくは１５ｇ／ｍ２以上、さらに好ましくは２０ｇ／ｍ２以上である。また膨潤した吸収体のフィット性を良くする観点から、６０ｇ／ｍ２以下、好ましくは５５ｇ／ｍ２以下、さらに好ましくは５０ｇ／ｍ２以下である。そして１０ｇ／ｍ２以上６０ｇ／ｍ２以下、好ましくは１５ｇ／ｍ２以上５５ｇ／ｍ２以下、さらに好ましくは２０ｇ／ｍ２以上５０ｇ／ｍ２以下である。吸収ポリマーの坪量が少なすぎると吸収性能が低下し、多すぎると膨潤した時の吸収体の剛性が高くなり過ぎ、フィット性が低下することになる。
高吸収性ポリマー３４の坪量は、上記坪量の範囲において中央部吸収体３ｃより側部吸収体３ａ、３ｂのほうが多くなっている。このため、中央部吸収体３ｃの幅が狭くても側部吸収体３ａ、３ｂの液吸収量が多くなる。したがって、中央部吸収体３ｃによる液吸収が不十分であっても、側部吸収体３ａ、３ｂで吸収されるので、液の横漏れが防止される。
【００５３】
吸収性物品の交換においては、その作業を行う者（介護者等）の労力を低減し、介護に必要なコストを低減することが求められている。例えば、成人用の吸収性物品では、展開型おむつやパンツ型おむつ等をアウターとして使用し、その内側に吸収性パッドを入れて併用される。
図３及び図４に示すように、本実施形態のおむつ１０は、その内部に吸収性パッドとして尿取りパッド１００を配して使用することができる。以下、尿取りパッド１００として説明する。尿取りパッド１００は、肌当接面側に配した第１シート１０１、非肌当接面側に配した第２シート１０２、及び両シートの間に介在配置させた液保持性の貯蔵層１０３を備える。なお、図面では第１シート１０１と第２シート１０２が平面視にて重ねられた状態に描かれている。また、第１シート１０１の肌面側に、立体防漏カフ１１１を設けても良い。
【００５４】
尿取りパッド１００の第１シート１０１は、おむつ１０の表面シート１と同様の部材を使うことができる。尿取りパッド１００の第２シート１０２は、おむつ１０の裏面シート２と同様の部材を使うことができる。その他に、尿取りパッド１００の第２シート１０２は、表面シート１に使用されるような液透過性の部材を使用することもできる。また、貯蔵層１０３は、おむつ１０の吸収体３と同様の吸収体材料を用いることができる。尿取りパッド１００の立体防漏カフ１１１としては、おむつ１０の立体ギャザー６１と同様の部材を、同様の構成で用いることができる。
また、尿取りパッド１００は、立体ギャザー６１間に収まれば、比較的大きなサイズのものを使用しても差し支えはない。例えば、立体ギャザー６１の間隔Ｄは、１４０ｍｍ以上、好ましくは１８０ｍｍ以上、さらに好ましくは２２０ｍｍ以上にされている。そして、中央部吸収体３ｃ等がしわを発生しないように、４００ｍｍ以下、好ましくは３６０ｍｍ以下、さらに好ましくは３２０ｍｍ以下にされている。上記一対の立体ギャザー６１の間隔Ｄは、立体ギャザー６１の起立している部分の基部の起立端６１ｂの間隔をいう（図３参照。）。
【００５５】
次に、上記おむつ１０の装着方法の一例について説明する。
図５に示すように、まず、おむつ１０上の立体ギャザー６１間に尿取りパッド１００を配する。その際、尿取りパッド１００は吸収体ギャザー６３（図１参照）の内側に配するようにしておくことが好ましい。そして図６に示すように、仰臥位の装着者２００の臀部下に、尿取りパッド１００を配したおむつ１０を差し込む。その状態で、該尿取りパッド１００、次いでおむつ１０の前方部Ｆ（図１参照）を手で把持してこれを装着者２００の股下から腹側へ引き上げる。中央部吸収体３ｃ（図１参照）に股下から腹側へ引き上げる引き上げ力が作用する。一対の側部吸収体３ａ、３ｂ（図１参照）は、中間部Ｃ（図１参照。）にて常時、装着者２００の大腿部２１０による内向きの押圧力を受けて中央部吸収体３ｃ側に押されている。このため、おむつ１０の股下から腹側への引き上げ中に、中央部吸収体３ｃと略同時に引き上げられる側部吸収体３ａ、３ｂが、押圧力によって幅方向（Ｘ方向）の内方に押される。
これにより、装着前の状態で合わせた尿取りパッド１００とおむつ１０の位置関係を維持したまま装着することができる。しかも尿取りパッド１００の厚み方向下側におむつ１０の立体ギャザー６１が入り込んでしまうことも防止できる。
【００５６】
また図７に示すように、吸収体３（側部吸収体３ａ、３ｂ、中央部吸収体３ｃ）全体として装着者の股下部に向かって凸形状となる。これによって、吸収体３は、肌面側の全体にわたって幅方向に凸状に延ばされるようになるので、しわが生じにくくなり、ごわつき感が生じなくなる。また、側部吸収体３ａ、３ｂは貫通孔４ａ、４ｂを狭めるように中央部吸収体３ｃ側に押されるようになるので、中央部吸収体３ｃと一体的に吸収体としての液吸収作用をなす。
なお、この時の貫通孔４ａ、４ｂは、側部吸収体３ａ、３ｂによって潰されるようになることで、貫通孔４ａ、４ｂからの液漏れをより防止することができる。さらに下層中央部吸収体３２によって貫通孔４ａ、４ｂを非肌当接面側から塞ぐようになるので、貫通孔４ａ、４ｂから漏れた液を吸収することができる。その結果、液漏れが生じにくくなる。
【００５７】
上記装着方法では、装着直後は尿取りパッド１００、おむつ１０とも、装着者２００の股下部にフィットし、余計な隙間が生じず、良好な吸収性能を有する。しかしながら、装着者２００が歩いた場合など動作により股下部の間隔が変化すると、おむつ１０も尿取りパッド１００も装着直後の形態を保つことができにくくなる。そのため、おむつ１０や尿取りパッド１００が、装着者２００との間に隙間が生じたり、ずれ落ちたりする場合がある。
【００５８】
装着者が動作した場合であっても、尿取りパッド１００の側部は、立体ギャザー６１と側部吸収体３ａ（３ｂ）との間に挟まれている。そして立体ギャザー６１から側部吸収体３ａ（３ｂ）にかけて、装着者の大腿部と吸収体ギャザー６３との間に挟まれている。これにより、尿取りパッド１００は、立体ギャザー６１と吸収体ギャザー６３とにより尿取りパッド１００の側部が挟み込まれて、尿取りパッド１００のずれが抑えられる。すなわち、装着者が寝返りなどの動作を行っても、尿取りパッド１００が立体ギャザー６１を超えてずれることがなく、幅方向（Ｘ方向）のずれを抑制することができる。
【００５９】
更に、立体ギャザー６１の起立端６１ｂは、複数本の吸収体ギャザー弾性体７３のうち幅方向（Ｘ方向）内方に配されたものよりも、幅方向外方に配されていることが好ましい。この構成により、尿取りパッド１００の側縁が、厚み方向（Ｚ方向）においておむつ１０の立体ギャザー６１と中間部Ｃに形成された吸収体ギャザー６３との間に挟まれる。装着時には、上述したように、おむつ１０の側部吸収体３ａ、３ｂが、装着者の足方向に向かって折り下げられ、吸収体３全体として装着者の股下部に向かって凸形状となる。したがって、おむつ１０の立体ギャザー６１と吸収体ギャザー６３に挟まれた尿取りパッド１００の側縁も、側部吸収体３ａ、３ｂとともに折り下げられる。そして、尿取りパッド１００の幅方向中央部は装着者の股下部に向かって押し上げられる。
【００６０】
このように、装着者が動いた場合でも尿取りパッド１００やおむつ１０がずれにくく、装着者の股下部に追従することができる。
また、おむつ１０の幅方向（Ｘ方向）外側に立体ギャザー６１を配することで、種々の大きさが想定される多様な形状の尿取りパッドをおむつ１０と併用することが可能となる。
【００６１】
図１に示したように、貫通孔４ａ、４ｂは吸収体材料が存在しないように形成されている。そのため、おむつ１０の装着時に、側部吸収体３ａ、３ｂと中央部吸収体３ｃとの間の貫通孔４が基点として働き、側部吸収体３ａ、３ｂが容易に折れ曲がる。ここで、「吸収体材料が存在しない」とは、製造工程等で不可避的に零れ落ちる等して存在する吸収体材料を除外しない。
【００６２】
おむつ１０では、吸収体ギャザー弾性体７３は前方部Ｆや後方部Ｒまで延在させることがさらに好ましい。斯かる構成により、中間部Ｃの近傍に吸収体３が寄せ集められて厚みが増加し、尿取りパッド１００を装着者側に向けて押し上げる効果がさらに増す。吸収体３を効果的に寄せ集めるため、吸収体ギャザー弾性体７３の全長が側部吸収体３ａ、３ｂに覆われていても良い。
【００６３】
また、吸収体ギャザー弾性体７３は、幅方向（Ｘ方向）において側部吸収体３ａ、３ｂと重なる位置で、側部吸収体３ａ、３ｂと裏面シート２との間に配されることが好ましい。斯かる構成により、貫通孔４ａ、４ｂを基点として折れ下がった側部吸収体３ａ、３ｂを装着者の股下部側に向かって押し上げる。これによって、側部吸収体３ａ、３ｂが尿取りパッド１００の側縁を強く挟み込むことができる。
【００６４】
吸収体ギャザー弾性体７３は、把持力を強化する観点から、複数本、例えば２本、好ましくは３本以上を所定幅の間隔を持って配することが好ましい。複数本が配された吸収体ギャザー弾性体７３は、面的に押し上げる効果を奏するため、複数本を所定幅の間隔を持って配置することが好ましい。複数本の吸収体ギャザー弾性体を配置する間隔は、尿取りパッド１００の側縁をなるべく広い範囲で押さえつけることが好ましい。このため、配置する間隔は、２ｍｍ以上とすることが好ましく、３ｍｍ以上とすることがより好ましく、５ｍｍ以上とすることが更に好ましい。また、吸収体ギャザー弾性体７３同士の間隔が広すぎると、押さえつける効果が低減してしまう。このため、配置する間隔は、２０ｍｍ以下とすることが好ましく、１８ｍｍ以下とすることがより好ましく、１６ｍｍ以下とすることが更に好ましい。
【００６５】
立体ギャザー弾性体７１は、自由端６１ｆの把持力を強化する観点から、複数本、例えば２本、好ましくは３本以上を所定幅の間隔を持って配置することが好ましい。複数本の立体ギャザー弾性体７１を配置する間隔は、尿取りパッド１００の側縁をなるべく広い範囲で押さえつけるように配されることが好ましい。このため、配置する間隔を、２ｍｍ以上とすることが好ましく、３ｍｍ以上とすることがより好ましく、５ｍｍ以上とすることが更に好ましい。また、立体ギャザー弾性体７１同士の間隔が広すぎると、押さえつける効果が低減してしまう。そのため、配置する間隔は、１５ｍｍ以下とすることが好ましく、１３ｍｍ以下とすることがより好ましく、１２ｍｍ以下とすることが更に好ましい。
【００６６】
図３に示すように、立体ギャザー６１が尿取りパッド１００の表面まで延在して、尿取りパッド１００の側縁を挟み込む。そのため、立体ギャザー６１の起立端６１ｂから自由端６１ｆまでの距離（起立幅）Ｍは、１０ｍｍ以上が好ましく、２０ｍｍ以上がより好ましく、３０ｍｍ以上が更に好ましい。また、立体ギャザーの起立端６１ｂは、吸収体３上に配されることが好ましい。このように起立端６１ｂが吸収体３上に配されることによって、立体ギャザー６１の立ち位置は吸収体３上になる。これによって、尿取りパッド１００の側部を確実かつ強固に挟み込むことができる。
【００６７】
一方、おむつ１０の立体ギャザー６１に挟まれた空間に尿取りパッド１００を入れる際に、起立幅Ｍがあまりに大きいと、操作性が悪くなる。そのため、却って適切に尿取りパッド１００を装着することができなくなる恐れがある。また、立体ギャザー６１によって尿取りパッド１００上を覆ってしまうことになるので、尿が尿取りパッド１００に吸収されにくくなり、立体ギャザー６１の外側から漏れやすくなる。さらに、尿取りパッド１００の立体防漏カフ１１１より低すぎる位置に立体ギャザー６１があると、尿取りパッド１００から漏れた液が立体ギャザー６１の内側に溜まらず外側に漏れやすくなる。そこで、立体ギャザー６１の起立したときに高さ（起立幅Ｍ）は立体防漏カフ１１１の起立したときの高さと同程度とすることが好ましい。
さらに、立体ギャザー６１が尿取りパッド１００の幅方向（Ｘ方向）中央部まで及ぶと、立体ギャザー６１が該中央部を押さえつけてしまう。そのため、本願考案の押し上げの効果を十分に発揮できない恐れがある。そこで、立体ギャザー６１を幅方向の外側から内部側に倒伏させた状態、つまり展開状態では、自由端６１ｆが貫通孔４より幅方向（Ｘ方向）外側に位置することが好ましい。
斯かる構成により、立体ギャザー６１全体が側部吸収体３ａ、３ｂと装着者の大腿部に挟まれるため、尿取りパッド１００の側部をより確実にかつ強固に挟み込むことができる。具体的には、起立幅Ｍは、９０ｍｍ以下であることが好ましく、８０ｍｍ以下であることがより好ましく、７０ｍｍ以下であることが更に好ましい。おむつ１０の立体ギャザー６１の幅方向の間隔は十分に確保されている。そのため、立体ギャザー６１は、例えば小さいサイズ（Ｓサイズ）からより大きいサイズ（Ｌサイズ）までの尿取りパッド１００を確実かつ強固に挟み込むことができる。
【００６８】
起立幅Ｍを幅広く使って尿取りパッド１００を挟み込むため、少なくとも立体ギャザー６１の自由端６１ｆ側に伸縮性を有することが好ましい。
【００６９】
上記被覆シート５は、１枚で、側部吸収体３ａ、３ｂと中央部吸収体３ｃを一体的に被覆することができる。また、側部吸収体３ａ、３ｂおよび中央部吸収体３ｃを１枚の被覆シートで被覆し、下層中央部吸収体３２を別の被覆シートで被覆することもできる。
例えば、図１（ｂ）に示すように、被覆シート５は第１、第２、第３被覆シート５ａ、５ｂ、５ｃからなる。第１被覆シート５ａは、側部吸収体３ａ、３ｂと中央部吸収体３ｃの第１層３１と下層中央部吸収体の第２層３２との間に配される。また、第２被覆シート５ｂは第１層３１の表面シート１側に配され、第３被覆シート５ｃは第２層３２の裏面シート２側に配される。
【００７０】
上記被覆シート５は、各種公知のものを用いることができる。例えば、吸収体３の形成材料の漏出を防止する観点から、ティッシュペーパのような薄紙や透水性の不織布等が好ましく用いられる。被覆シートとして用いる不織布としては、例えば、スパンボンド不織布が挙げられる。又は、ＳＭ、ＳＭＳ、ＳＭＭＳ、ＳＳＭＳ等の複合不織布が挙げられる。
【００７１】
被覆シート５は、伸縮性を有する不織布や複合シートなどが好ましく用いられる。一般的には、嵩高い構成を有するエアスルー不織布や、薄い構成のスパンボンド不織布などが用いられる。この被覆シート５とは、対象物の対象面の全体と直接又は間接に接している状態のシートをいい、必ずしも対象物の周囲全体を包むシートを意味しない。また、被覆シート５の配置例は上記に限定されるものではなく、種々の配置例が挙げられる。
【００７２】
また側部吸収体３ａ、３ｂの非肌当接面側に位置する第１被覆シート５ａは、その肌当接面側に配されているおむつ１０の各構成部材とは異なる色彩を有することが好ましい。構成部材とは、表面シート１、側部吸収体３ａ、３ｂ等が挙げられる。また、シート材料を着色して用いても良い。例えば、第１被覆シート５ａが、表面シート１、側部吸収体３ａ、３ｂ、中央部吸収体３ｃ及び第２被覆シート５ｂとは異なる色に着色されていても良い。この例では、おむつ１０を表面シート１側から目視した場合、第１被覆シート５ａの着色が貫通孔４ａ、４ｂを通して視認可能になされていても良い。この場合、装着時に尿取りパッド１００の位置合わせが容易になり、装着者の作業負担が軽減される。
【００７３】
尿取りパッド１００とおむつ１０を併用する場合において、本考案の効果を最も効果的に奏する。このためには、尿取りパッド１００とおむつ１０との長手方向（Ｙ方向）に延びる中心線を合わせた場合に、中間部Ｃにおいて、尿取りパッド１０の両側縁がそれぞれ側部吸収体３ａ、３ｂ上に位置することが好ましい。
【００７４】
また、尿取りパッド１００が立体防漏カフ１１１を有している場合は、尿取りパッド１００とおむつ１０との長手方向（Ｙ方向）に延びる中心線を合わせた展開状態とする。この場合、立体ギャザー６１の自由端６１ｆが、尿取りパッド１００の立体防漏カフ１１１の起立端１１１ｂよりも幅方向（Ｘ方向）外側に位置することが好ましい。尿取りパッド１００が立体防漏カフを有しない場合は、同様の展開状態とする。この場合、立体ギャザー６１の自由端６１ｆが、尿取りパッド１００の貯蔵層１０３の側縁よりも、幅方向（Ｘ方向）外側に位置することが好ましい。斯かる構成により、おむつ１０の立体ギャザー６１が、尿取りパッド１００が液を吸収する面積を狭めることがなく、かつ、装着者への追従性という効果を奏することができる。
【００７５】
以上、本考案をその好ましい実施形態に基づき説明したが、本考案は実施形態に制限されるものではない。例えば、表面シート１の幅は裏面シート２の幅よりも狭くてもよく、その場合、立体ギャザー６１の起立端６１ｂは裏面シート２に固定されてもよい。
【００７６】
上記おむつ１０は、成人用吸収性物品であるが、内部に吸収性パッドを使用して用いるものであれば、成人用に限らず、乳幼児、小児用等であっても良い。また、上記おむつ１０は、展開型おむつの他、パンツ型おむつや吸収性パッド等であっても良い。
上記おむつ１０は、成人用吸収性物品の大きさに於いて、上記説明した各効果が最大限に発揮される。ナプキンや尿取りパッドでは物品が小さくなり、上記説明した各効果が成人用吸収性物品よりも小さくなる。
【符号の説明】
【００７７】
１  表面シート
２  裏面シート
３  吸収体
３ａ、３ｂ  側部吸収体
３ｃ  中央部吸収体
３ｄ、３ｅ  内折り部
４（４ａ、４ｂ）  貫通孔
５（５ａ、５ｂ、５ｃ）  被覆シート
７（７ａ、７ｂ）  サイドシート
８  外装シート
９  
１０  おむつ
１７  フラップ部
１８Ｒ  背側フラップ部
１８Ｆ  腹側フラップ部
１９  ファスニングテープ
２０  テープ貼付部
３１  第１層
３２  第２層
３３  パルプ
３４  吸収性ポリマー（高吸収性ポリマー）
４１ａ、４１ｂ  外方縁
４２ａ、４２ｂ  内方縁
４３  折り目
６１  立体ギャザー
６１ｂ  起立端
６１ｆ  自由端
６３  吸収体ギャザー
６５  レッグギャザー
７１  立体ギャザー弾性体
７３  吸収体ギャザー弾性体
７５  レッグギャザー弾性体
１００  尿取りパッド
１０１  第１シート
１０２  第２シート
１０３  貯蔵層
１１１  立体防漏カフ
１１１ｂ  起立端
Ｆ  前方部
Ｃ  中間部
Ｒ  後方部
Ｌ  貫通孔の長さ
Ｗ  貫通孔の幅
Ｄ  立体ギャザーの間隔
【図１】
0003201606.tif 000003
【図２】
0003201606.tif 000004
【図３】
0003201606.tif 000005
【図４】
0003201606.tif 000006
【図５】
0003201606.tif 000007
【図６】
0003201606.tif 000008
【図７】
0003201606.tif 000009